【手続補正書】
【提出日】平成16年2月18日(2004.2.18)
【手続補正１】
【補正対象書類名】明細書
【補正対象項目名】特許請求の範囲
【補正方法】変更
【補正の内容】
【特許請求の範囲】
【請求項１】
画像データを印刷する印刷媒体の種類を指定する印刷媒体情報を含む印刷ジョブをジョブ記憶手段にキューイングするとともに、印刷ジョブ実行時には前記ジョブ記憶手段に記憶した印刷ジョブを解析し、前記画像データから印刷データを作成し、その印刷データに基づいて前記印刷媒体情報で指定される印刷媒体に印刷するプリンタにおいて、
前記印刷ジョブがキューイングされているときにその印刷ジョブ中の印刷媒体情報で指定される印刷媒体と同じ印刷媒体を有する印刷ジョブのみをキューイングさせる制御手段を備えたことを特徴とするプリンタ。
【請求項２】
請求項１に記載のプリンタにおいて、
印刷ジョブが新たに入力されるとき、その新たな印刷ジョブで指定される印刷媒体が先にキューイングされた印刷ジョブ中の印刷媒体情報で指定される印刷媒体と異なる場合、前記制御手段はその印刷ジョブをキューイングさせないことを特徴とするプリンタ。
【請求項３】
請求項１に記載のプリンタにおいて、
印刷ジョブが新たに入力されるとき、その新たな印刷ジョブで指定される印刷媒体が先にキューイングされた印刷ジョブ中の印刷媒体情報で指定される印刷媒体と異なる場合、前記制御手段は新たな印刷ジョブで指定される印刷媒体を先にキューイングされた印刷ジョブ中の印刷媒体情報で指定される印刷媒体に変更することを特徴とするプリンタ。
【請求項４】
請求項１に記載のプリンタにおいて、
印刷ジョブが新たに入力されるとき、前記制御手段は先にキューイングされた印刷ジョブ中の印刷媒体情報で指定される印刷媒体と同じ印刷媒体のみユーザに指定可能にすることを特徴とするプリンタ。
【請求項５】
請求項１に記載のプリンタにおいて、外部装置からデータを受け付ける受信手段を備え、前記外部装置によって生成された印刷ジョブを前記受信手段で受け付けることを特徴とするプリンタ。
【請求項６】
請求項１に記載のプリンタにおいて、印刷ジョブを入力するための入力手段を備え、外部装置によって生成された印刷媒体情報を含む印刷設定に関する所定データと印刷すべき画像とを前記入力手段に関連付けることを特徴とするプリンタ。
【請求項７】
画像データを印刷する印刷媒体の種類を指定する印刷媒体情報を含む印刷ジョブをジョブ記憶手段にキューイングするとともに、印刷ジョブ実行時には前記ジョブ記憶手段に記憶した印刷ジョブを解析し、前記画像データから印刷データを作成し、その印刷データに基づいて前記印刷媒体情報で指定される印刷媒体に印刷するプリンタにおいて、
異なる印刷媒体を指定する印刷ジョブがキューイングされているときに印刷ジョブが新たに入力されるとき、その新たな印刷ジョブで指定される印刷ジョブが先のキューイングされた印刷ジョブ中の印刷媒体情報で指定される印刷媒体のいずれかと同じ場合はその印刷ジョブを同じ印刷媒体のジョブが連続する位置にキューイングさせる制御手段を備えたことを特徴とするプリンタ。
【請求項８】
画像データを印刷する印刷媒体の種類を指定する印刷媒体情報を含む印刷ジョブをジョブ記憶手段にキューイングするとともに、印刷ジョブ実行時には前記ジョブ記憶手段に記憶した印刷ジョブを解析し、前記画像データから印刷データを作成し、その印刷データに基づいて前記印刷媒体情報で指定される印刷媒体に印刷するプリンタの印刷方法において、
前記印刷ジョブが前記ジョブ記憶手段にキューイングされているときに、その印刷ジョブ中の印刷媒体情報で指定される印刷媒体と同じ印刷媒体を有する印刷ジョブのみをキューイングさせることを特徴とするプリンタの印刷方法。
【請求項９】
請求項８項に記載のプリンタの印刷方法において、
異なる印刷媒体を指定する印刷ジョブが前記ジョブ記憶手段にキューイングされているときに印刷ジョブが新たに入力されるとき、その新たな印刷ジョブで指定される印刷ジョブが先のキューイングされた印刷ジョブ中の印刷媒体情報で指定される印刷媒体のいずれかと同じ場合はその印刷ジョブを同じ印刷媒体のジョブが連続する位置にキューイングさせることを特徴とするプリンタの印刷方法。
【手続補正２】
【補正対象書類名】明細書
【補正対象項目名】００１４
【補正方法】変更
【補正の内容】
【００１４】
請求項７に記載の発明は、画像データを印刷する印刷媒体の種類を指定する印刷媒体情報を含む印刷ジョブをジョブ記憶手段にキューイングするとともに、印刷ジョブ実行時には前記ジョブ記憶手段に記憶した印刷ジョブを解析し、前記画像データから印刷データを作成し、その印刷データに基づいて前記印刷媒体情報で指定される印刷媒体に印刷するプリンタにおいて、異なる印刷媒体を指定する印刷ジョブがキューイングされているときに印刷ジョブが新たに入力されるとき、その新たな印刷ジョブで指定される印刷ジョブが先のキューイングされた印刷ジョブ中の印刷媒体情報で指定される印刷媒体のいずれかと同じ場合はその印刷ジョブを同じ印刷媒体のジョブが連続する位置にキューイングさせる制御手段を備えたことをその要旨とする。
請求項８に記載の発明は、画像データを印刷する印刷媒体の種類を指定する印刷媒体情報を含む印刷ジョブをジョブ記憶手段にキューイングするとともに、印刷ジョブ実行時には前記ジョブ記憶手段に記憶した印刷ジョブを解析し、前記画像データから印刷データを作成し、その印刷データに基づいて前記印刷媒体情報で指定される印刷媒体に印刷するプリンタの印刷方法において、前記印刷ジョブが前記ジョブ記憶手段にキューイングするときに、その印刷ジョブ中の印刷媒体情報で指定される印刷媒体と同じ印刷媒体を有する印刷ジョブのみをキューイングさせることをその要旨とする。
請求項９に記載の発明は、請求項８に記載のプリンタの印刷方法において、異なる印刷媒体を指定する印刷ジョブが前記ジョブ記憶手段にキューイングされているときに印刷ジョブが新たに入力されるとき、その新たな印刷ジョブで指定される印刷ジョブが先のキューイングされた印刷ジョブ中の印刷媒体情報で指定される印刷媒体のいずれかと同じ場合はその印刷ジョブを同じ印刷媒体のジョブが連続する位置にキューイングさせることをその要旨とする。
【手続補正３】
【補正対象書類名】明細書
【補正対象項目名】００２１
【補正方法】変更
【補正の内容】
【００２１】
請求項７によれば、ジョブ記憶手段には、印刷媒体情報がそれぞれ一致している印刷ジョブのグループにそれぞれ区分けされた形で印刷ジョブがキューイングされる。
請求項８に記載の発明によれば、画像データを印刷する印刷媒体の種類を指定する印刷媒体情報を含む印刷ジョブがジョブ記憶手段にキューイングされているとき、ジョブ記憶手段にキューイングされている印刷ジョブ中の印刷媒体情報で指定される印刷媒体と同じ印刷媒体を有する印刷ジョブのみがキューイングされる。
請求項９によれば、ジョブ記憶手段には、印刷媒体情報がそれぞれ一致している印刷ジョブのグループにそれぞれ区分けされた形で印刷ジョブがキューイングされる。
【手続補正４】
【補正対象書類名】明細書
【補正対象項目名】００６４
【補正方法】変更
【補正の内容】
【００６４】
（第２実施形態）
次に本発明の第２実施形態について説明する、
本実施形態は、第１実施形態と相違する点は新たな印刷ジョブに対するキューイングの仕方が相違する。従って、その相違する点を図６に示すフローチャートに従って説明する。


【手続補正５】
【補正対象書類名】明細書
【補正対象項目名】００７３
【補正方法】変更
【補正の内容】
【００７３】
この場合にも、キューイングされた複数の印刷ジョブに基づいて印刷をする際、印刷媒体の相違に基づく印刷不具合をなくすことができる。
上記各実施形態では、印刷媒体情報としての記録紙の種類を材質とサイズとした。これを、材質及びサイズのいずれか一方を印刷媒体情報として実施してもよい。この場合にも、キューイングされた複数の印刷情報に基づいて印刷をする際、印刷媒体の相違に基づく印刷不具合をなくすことができる。